(57)【要約】      （修正有）【課題】織機停止時に、横糸の落下を防止することで、横糸寄れ現象の発生を低減させることができるシャトルレス織機横糸ボビンを提供する。【解決手段】ボビン本体１を備える横糸寄れ防止可能なシャトルレス織機の横糸ボビンであって、ボビン本体の一端に円形の端蓋２が設置され、端蓋の外側に直径が端蓋よりも小さいディスク４が同心設置され、ディスクには、径方向に沿って複数のナイロン糸４２が延設され、ナイロン糸はディスクの周方向に沿って均一に分布されている。【選択図】図１
0003227078.tif 000002
【実用新案登録請求の範囲】
【請求項１】
ボビン本体（１）を備える横糸寄れ防止可能なシャトルレス織機の横糸ボビンであって、
前記ボビン本体（１）の一端に、円形の端蓋（２）が設置され、前記端蓋（２）外側に、直径が端蓋（２）よりも小さいディスク（４）が同心設置され、前記ディスク（４）において、その径方向に沿って複数のナイロン糸（４２）が延設され、且つ前記ナイロン糸（４２）がディスク（４）の周方向に沿って均一に分布されている、ことを特徴とする横糸寄れ防止可能なシャトルレス織機の横糸ボビン。
【請求項２】
前記端蓋（２）の内側に、凵字形の弾性シート（３）が設置され、且つ前記弾性シート（３）の両側が外へ突出してアーチ状になっている、ことを特徴とする請求項１に記載の横糸寄れ防止可能なシャトルレス織機の横糸ボビン。
【請求項３】
前記ディスク（４）の周方向において、複数の糸通し穴組（４１）が均一に配置され、前記糸通し穴組（４１）には、ディスク（４）の径方向に沿って設置された２つの糸通し穴（４１１）を備え、２組ごとの糸通し穴組（４１）内に１本のナイロン糸（４２）が穿設されている、ことを特徴とする請求項１に記載の横糸寄れ防止可能なシャトルレス織機の横糸ボビン。
【請求項４】
前記端蓋（２）の円周側にフィレット面（２１）が設置されている、ことを特徴とする請求項１に記載の横糸寄れ防止可能なシャトルレス織機の横糸ボビン。
【請求項５】
前記弾性シート（３）、端蓋（２）およびディスク（４）がボルト（５）により固定連結されている、ことを特徴とする請求項２に記載の横糸寄れ防止可能なシャトルレス織機の横糸ボビン。
【考案の詳細な説明】
【技術分野】
【０００１】
本考案は、シャトルレス織機に関し、特に、横糸寄れ（ｗｅｆｔ  ｃｒａｃｋｉｎｅｓｓ）防止可能なシャトルレス織機の横糸ボビンに関する。
【背景技術】
【０００２】
シャトルレス織機は、シャトル織機に続いて生まれた新型織機である。シャトルレス織機は、重量が軽く、振動が小さく、騒音が低く、速度が速く、効率が高いなどの利点で、織機市場を急速に占領している。シャトルレス織機の緯入れ態様は、多様であり、例えば、レピア、噴射（ガス噴出、噴水）、グリッパー、マルチシェッド（多相）および編みなどの態様がある。レピア織機は、剛性または柔軟性のレピアヘッドを用いることにより、横糸を挟持し、ガイドすることができる。レピア織機は、平織りおよび紋様織物の製織に適する以外、色替えが便利であるため、多色横編み物の製織に適し、多色織物、二層絨毛織物、ループパイル織物および装飾織物の製織に適する。
【０００３】
市場では、横糸ボビンが１つの横糸ボビンホルダに取り付けられ、巻き出し時に、横糸が横糸ボビンの側方から引き出されて織機に進入するというシャトルレス織機が存在した。織機停止時に、横糸が張力を失って重力の作用下で自然に落下することで、横糸寄れを起こしてしまう。
【考案の概要】
【０００４】
本考案は、織機停止時に横糸の落下を回避することで、横糸寄れ現象の発生を低減させることができる横糸寄れ防止可能なシャトルレス織機の横糸ボビンを提供することを目的とする。
【０００５】
本考案の上記技術的目的を達成するために、以下の技術案を講じた。
【０００６】
ボビン本体を備える横糸寄れ防止可能なシャトルレス織機の横糸ボビンであって、前記ボビン本体の一端に円形の端蓋が設置され、前記端蓋の外側に、直径が端蓋よりも小さいディスクが同心設置され、前記ディスクにおいて、その径方向に沿って複数のナイロン糸が延設され、且つ前記ナイロン糸がディスクの周方向に沿って均一に分布されている横糸寄れ防止可能なシャトルレス織機の横糸ボビン。
【０００７】
前記端蓋の内側に、凵字形の弾性シートが設置され、且つ前記弾性シートの両側が外へ向かってアーチ状になっている。
【０００８】
前記ディスクの周方向において、複数の糸通し穴組が均一に配置され、前記糸通し穴組には、ディスクの径方向に沿って設置された２つの糸通し穴を備え、２組ごとの糸通し穴組内に１本のナイロン糸が穿設されている。
【０００９】
前記端蓋の円周側にフィレット面が設置されている。
【００１０】
前記弾性シート、端蓋およびディスクがボルトにより固定連結されている。
【００１１】
以上のように、本考案は、以下の有益な効果を有する。
【００１２】
ボビン本体の開口に端蓋がカバーされ、横糸がボビン本体の端蓋付きの一端に沿って引き出されて端蓋のフィレット面に接触することにより、極めて大きく摩擦力を低減させて、横糸に対する損傷を最低限まで減少させることができる。織機停止時に、横糸がディスクにおけるナイロン糸に掛けて落下せず、一定の張力を保持し、横糸寄れの発生を低減させることができる。
【図面の簡単な説明】
【００１３】
【図１】本実施例に係る弾性シート、端蓋およびディスクの三者の連結関係を示すための構造模式図である。
【図２】本実施例に係る組立完了後の構造模式図である。
【図３】本実施例に係るディスクと横糸との間の構造模式図である。
【符号の説明】
【００１４】
１、ボビン本体
２、端蓋
２１、フィレット面
３、弾性シート
４、ディスク
４１、糸通し穴組
４１１、糸通し穴
４２、ナイロン糸
５、ボルト
６、横糸
【考案を実施するための形態】
【００１５】
以下、図面を結び付けて、本考案について詳細に説明する。
【００１６】
図１、図２および図３に示すように、横糸寄れ防止可能なシャトルレス織機の横糸ボビンは、横糸６のボビンホルダに嵌着されたボビン本体１を備え、嵌着時、ボビン本体１の軸方向と水平方向との角度が４５度となる。
【００１７】
ボビン本体１の横糸６ボビンホルダから離れる一端に円形の端蓋２が設置され、端蓋２の円周側にフィレット面２１が設置されている。端蓋２の内側に凵字形の弾性シート３が設置され、外側にディスク４が同心設置され、且つ弾性シート３、端蓋２およびディスク４の三者が円心でボルト５により固定されている。
【００１８】
弾性シート３は、開口がボビン本体１に向かって設置され、その両側辺が外へ突出してアーチ状になり、且つ当該側辺がボビン本体１の内壁に密着に当接されている。
【００１９】
ディスク４は、直径が端蓋２よりも小さい。ディスク４において、複数組の糸通し穴組４１が設置され、各組に２つの糸通し穴４１１を備えると共に、ディスク４の径方向に沿って設置され、２組ごとの糸通し穴組４１内に１本のナイロン糸が穿設され、且つナイロン糸の両端がディスク４の径方向に沿って外へ延設されている。
【００２０】
具体的な実施形態は、以下のとおりである。
【００２１】
ナイロン糸の糸通し態様は、隣り合う２組の糸通し穴組４１のうちディスク４の中心に近づく糸通し穴４１１から１本のナイロン糸の両端を通過させた後、それを湾曲させて同一組における他の糸通し穴４１１から通過させて、ナイロン糸４２の端部がディスク４の径方向に沿って延在する。次に、ディスク４のナイロン糸４２の端部に接触した一方側を端蓋２と貼り合せて取り付けることで、ナイロン糸４２の端部を押えて水平に保持させる。
【００２２】
組立時に、弾性シート３、端蓋２およびディスク４の三者がボルト５により固定連結された後、ボビン本体１の端部にカバーされ、弾性シート３がボビン本体１の内腔に進入し押圧されて内へ収縮することで、ボビン本体１の内壁に密着に当接されて端蓋２を固定する。
【００２３】
使用時に、横糸６がボビン本体１の軸方向に沿って引き出され、移動経路がボビン本体１の端部、すなわち開口に接触し、糸巻きおよび搬送過程において、ボビン本体１の開口が衝突により損傷されるため、製織過程における横糸６の起毛及び横糸破断を起こす。そのため、ボビン本体１の開口に端蓋２がカバーされ、横糸６がボビン本体１の端蓋２付きの一端に沿って引き出されて端蓋２のフィレット面２１に接触することにより、極めて大きく摩擦力を低減させて、横糸６に対する損傷を最低限まで減少させることができる。織機停止時に、横糸６がナイロン糸４２に掛けて落下せず、一定の張力を保持し、横糸寄れの発生を低減させることができる。
【００２４】
当該具体的な実施形態は、本考案を解釈するためのものに過ぎず、本考案を限定するものではなく、当業者であれば本明細書を閲読した後にニーズに応じて創造的な貢献のない修正を行うことができるが、本考案の保護範囲に属する限り、実用新案法により保護されるべきである。
【図１】
0003227078.tif 000003
【図２】
0003227078.tif 000004
【図３】
0003227078.tif 000005